(57)【要約】【課題】リモネンを揮散溶剤として使用する油性ゲル状芳香・消臭剤において、ゲルの保型安定性と、芳香・消臭成分の揮散性の改善されたゲル状芳香・消臭剤組成物を提供すること。【解決手段】リモネンを８〜９７重量％、ゲル化剤を１〜２０重量％および香料および／または消臭成分を０．５〜８７重量％の割合で含有するゲル状芳香・消臭剤組成物であって、保型安定剤および／または揮散向上剤としてスチレン系熱可塑性エラストマーを含有してなることを特徴とするゲル状芳香・消臭剤組成物。【選択図】　なし【特許請求の範囲】
【請求項１】
リモネンを８〜９７重量％、ゲル化剤を１〜２０重量％および香料および／または消臭成分を０．５〜８７重量％の割合で含有するゲル状芳香・消臭剤組成物であって、保型安定剤および／または揮散向上剤としてスチレン系熱可塑性エラストマーを含有してなることを特徴とするゲル状芳香・消臭剤組成物。
【請求項２】
ゲル状芳香・消臭剤組成物の全体量あたり、スチレン系熱可塑性エラストマーを０．１〜１５重量％含有してなることを特徴とする請求項１記載のゲル状芳香・消臭剤組成物。
【発明の詳細な説明】
【発明が属する技術分野】
【０００１】
本発明は、ゲル状芳香・消臭剤組成物に関し、更に詳しくは、持続性及び安定性にも優れた芳香バランス性を示し、且つ、ゲルの保型安定性に優れたゲル状芳香・消臭剤組成物に関する。
【０００２】
【従来の技術】
従来、ゲル状芳香・消臭剤組成物は室内芳香剤等として用いられている。リモネンなどを揮散溶剤とする油性ゲル状芳香剤のゲル化剤としては、例えば、ステアリン酸ナトリウム（特許文献１、特許文献２参照）、ジベンジリデンソルビトール（特許文献３参照）、オクチル酸アルミニウム（特許文献４、特許文献５、特許文献６、特許文献７参照）、脂肪酸塩（特許文献８参照）、硬化ヒマシ油（特許文献９参照）などが提案されている。
【０００３】
また、スチレン系熱可塑性エラストマーを油性ゲル状芳香剤のゲル化剤として使用することに関しても提案されている（特許文献１０、特許文献１１、特許文献１２参照）。
【０００４】
【特許文献１】
特開昭５５−７５４９３号公報
【特許文献２】
特公昭５７−５０５０２号公報
【特許文献３】
特開昭６０−４１９６７号公報
【特許文献４】
特開平１−３２００６３号公報
【特許文献５】
特開平３−９７５８号公報
【特許文献６】
特開平１０−４３２８２号公報
【特許文献７】
特開２００１−４６４８２号公報
【特許文献８】
特開平７−２９９１２７号公報
【特許文献９】
特開２００２−６５８２６号公報
【特許文献１０】
特開昭６２−２４９６５２号公報
【特許文献１１】
特開昭６２−２４９６５３号公報
【特許文献１２】
特公平５−６３１８４号公報
【０００５】
【発明が解決しようとする課題】
しかしながら、リモネンを揮散溶剤として使用する油性ゲル状芳香・消臭剤において、上記したステアリン酸ナトリウムなどの脂肪酸塩、金属石鹸、硬化ヒマシ油などをゲル化剤として使用した場合、使用途中でゲルが脆くなりゲルが壊れやすくなって美観を損ねたり、また、使用途中で芳香・消臭成分の揮散度が落ち、揮散コントロールができないなどの問題があった。また、リモネンを揮散溶剤として使用する油性ゲル状芳香・消臭剤において、スチレン系熱可塑性エラストマーを使用した場合には、ゲルが固まらないなどの問題があり、さらなる改善が求められていた。
【０００６】
従って、本発明の目的は、リモネンを揮散溶剤として使用する油性ゲル状芳香・消臭剤において、ゲルの保型安定性と、芳香・消臭成分の揮散性の改善されたゲル状芳香・消臭剤組成物を提供することである。
【０００７】
【課題を解決するための手段】
そこで、本発明者らは鋭意検討を行った結果、リモネンを揮散溶剤として使用するゲル状芳香・消臭剤組成物において、脂肪酸塩、金属石鹸、硬化ヒマシ油などのゲル化剤とともに、保型安定剤および／または揮散向上剤としてスチレン系熱可塑性エラストマーを配合することにより、上記課題を一挙に解決できることを見出し本発明を完成するに至った。
【０００８】
かくして、本発明は、リモネンを８〜９７重量％、ゲル化剤を１〜２０重量％および香料および／または消臭成分を０．５〜８７重量％の割合で含有するゲル状芳香・消臭剤組成物であって、保型安定剤および／または揮散向上剤としてスチレン系熱可塑性エラストマーを含有してなることを特徴とするゲル状芳香・消臭剤組成物を提供するものである。
【０００９】
以下、本発明のゲル状芳香・消臭剤組成物についてさらに詳細に説明する。
【００１０】
【発明の実施の形態】
本発明のゲル状芳香・消臭剤組成物は、揮散溶剤としてリモネンを含む。リモネンの配合割合は、ゲル状芳香・消臭剤組成物の全体量を基準として８〜９７重量％、好ましくは１０〜９５重量％である。本発明のゲル状芳香・消臭剤の揮散溶剤としては、リモネン以外に、ゲルの保型性、揮散安定性に影響を及ぼさない範囲内で、例えば、リモネン以外のテルペン系炭化水素、イソパラフィン系炭化水素、ノルマルパラフィン系炭化水素、３−メトキシ−３−メチルブタノールなどのアルコール類、グリコール類、グリコールエーテル類などを配合することもできる。
【００１１】
本発明に使用されるゲル化剤としては、特に制限されず、通常使用されているゲル化剤を使用することができ、例えば、パルミチン酸ナトリウム、ステアリン酸ナトリウム、オレイン酸ナトリウム、ベヘニン酸ナトリウムなどのＣ１２〜Ｃ２４高級脂肪酸のナトリウム塩などの脂肪酸塩；１２−ヒドロキシステアリン酸、ヒドロキシパルミチン酸などの脂肪酸；オクチル酸アルミニウム、およびＣ１２〜Ｃ２４高級脂肪酸アルミニウムの混合物などの金属石鹸；硬化ヒマシ油、ベンジリデンソルビトールなどを挙げることができ、これらの１種または２種以上の混合物を例示することができる。特に好ましくは、硬化ヒマシ油、ステアリン酸ナトリウム、オクチル酸アルミニウムを例示することができる。ゲル化剤の使用量は、ゲル状芳香・消臭剤組成物の全体量を基準として１〜２０重量％、好ましくは２〜１５重量％である。
【００１２】
本発明のゲル状芳香・消臭剤組成物は、香料および／または消臭成分を含む。香料成分としては、天然および合成の広い範囲の香料を利用することができる。そのような香料成分の例としては、例えば、レモン油、オレンジ油、ベルガモット油、イランイラン油、パチョリ油、シトロネラ油、レモングラス油、ボアドローズ油、チョウジ油、ユーカリ油、セダー油、ビャクダン油、ベチバー油、ゼラニウム油、ペパーミント油、ローズ油、ジャスミン油など、更にはこれら天然精油から分離されたリモネン、ゲラニオール、シトロネロール、リナロールなどの如き天然源植物精油及びその単離香料類；ムスク、シベット、アンバーグリス、カストリウムなどの如き天然源動物性香料類；バニリン、メントール、シンナミックアルデヒド、ヘリオトロピン、リナロール、ゲラニオール、シトロネロール、シトラール、ミルセン、ミルセノール、アニスアルデヒド、シネオール、イオノン、ピネン、リモネン、カンフェン、シス−３−ヘキセノール、ベンジルアルコール、α−アミルシンナミックアルコール、オイゲノール、リナリルアセテート、ベンジルアセテートなどの如き合成香料；これらの各種精油乃至香料の少なくとも二種を配合した調合香料；などの各種の香料成分を例示することができる。なお、香料成分の溶剤として、イソパラフィン、ノルマルパラフィン、ジプロピレングリコール（ＤＰＧ）、ジエチルフタレート（ＤＥＰ）、エチルカルビトールを用いることもできる。
【００１３】
また、消臭成分としては、例えば、ラウリルメタアクリレート、ゲラニルクロトネートクロロフィルの如き化学的消臭剤を例示することができる。
【００１４】
上記した香料および／または消臭成分の配合割合は、ゲル状芳香・消臭剤組成物の全体量を基準として０．５〜８７重量％、好ましくは１〜８０重量％である。
【００１５】
本発明のゲル状芳香・消臭剤組成物は、上記したリモネン、ゲル化剤、香料および／または消臭成分に、保型安定剤および／または揮散向上剤としてスチレン系熱可塑性エラストマーを配合することにより、ゲルの保型安定性、揮散性を改善することができる。
【００１６】
本発明に使用されるスチレン系熱可塑性エラストマーは、常温下では加硫ゴムの、高温下では普通の熱可塑性樹脂の特性を示す熱可塑性エラストマーの一種であり、硬質相にポリスチレンブロック、軟質相にゴムブロックを持ち、ポリスチレン部分が物理架橋を形成して橋かけ点になっているブロック共重合体である。ゴムブロックとしてはポリオレフィンもしくは水素添加されたポリオレフィンなどがあり、具体的にはポリブタジエン、ポリイソプレン、そして水素添加型のポリエチレン／ブチレン、ポリエチレン／プロピレンが挙げられる。ブロック共重合体には、ジブロック、トリブロック、マルチブロックなどの種類がある。これらのスチレン系熱可塑性エラストマーは市場で容易に入手することができ、例えば、「クレイトンＧ」（シェル化学社製の商品名）、「セプトン４０３３」（クラレ社製の商品名）などを挙げることができる。
【００１７】
上記したスチレン系熱可塑性エラストマーの配合割合は、使用するゲル化剤などの種類により異なり一概には言えないが、通常、ゲル状芳香・消臭剤組成物の全体量を基準として０．１〜１５重量％、好ましくは０．２〜１０重量％である。０．１重量％未満では芳香バランス性や保型性に難点が生じ、１５重量％を超える量ではスチレン系熱可塑性エラストマーによるゲル化がおこり、良好なゲルが得られない。
【００１８】
本発明のゲル状芳香・消臭剤組成物には、さらに、他の添加剤として、例えば、パラジクロールベンゼン、ナフタリン、カンフアーの如き防虫剤；オルトフェニルフェノール、安息香酸、サリチル酸、イソプロピルメチルフェノールの如き防腐・殺菌剤；ＢＨＡ、ＢＨＴなどの抗酸化剤；アセトキシフェニルブタノン、メチルオイゲノールの如き誘引、忌避剤；色素等を配合例示することもできる。
【００１９】
上記のように、本発明のゲル状芳香・消臭剤組成物は、ゲルの保型安定性と、芳香・消臭成分の揮散性の改善されるなどの優れた諸性質を示し、車内、船舶内、トイレ内、浴場内、居室内などの室内芳香・消臭剤として、更には固型香水、固型芳香・消臭塗布剤、ポマンダーなどの香粧品として、その他広い分野において有用である。
【００２０】
以下実施例により本発明の実施の態様をさらに具体的に説明する。
【００２１】
【実施例】
実施例１、２および比較例１
下記表１に記載した配合割合にて、常法により実施例１、２および比較例１のゲル状芳香・消臭剤組成物を作製した。なお、数値は全て重量％である。
【００２２】
【表１】
表１：配合割合
2004105519.tif 000002
【００２３】
※１ヒマ硬Ｐ：硬化ヒマシ油（川研ファインケミカル社製の商品名）
※２セプトン４０３３：スチレン系熱可塑性エラストマー（クラレ社製の商品名）
※３ライム＃４５４３：長谷川香料社製のシトラス系香料
（ゲルの状態および揮散量の変化）
上記配合割合で調製したそれぞれの組成物をプルトップ缶（直径６５ｍｍ×高さ３０ｍｍ）に４０ｇ充填し、開缶後、経時的なゲルの状態変化および揮散重量の変化を観察し、その結果を表２および図１に示す。なお、表２の評価は以下の基準で示す。
【００２４】
◎：ゲルの状態が最も良好
○：ゲルの状態が良好
△：ゲルの状態がやや不良
×：ゲルの状態が不良
【００２５】
【表２】
表２：ゲルの状態変化
2004105519.tif 000003
【００２６】
比較例１では、１４日目あたりからゲルのヒビ割れがみられたが、実施例１および２ではヒビ割れはおこらず美観的に優れていた。
【００２７】
また、図１に示したように実施例１および２では、開缶後から安定的な揮散量の変化が見られたが、比較例１では、７日目までは揮散量が大きくなり、その後はあまり揮散しない傾向が見られた。
【００２８】
実施例３および比較例２
下記表３に記載した配合割合にて、常法により実施例３および比較例２のゲル状芳香・消臭剤組成物を作製した。なお、数値は全て重量％である。
【００２９】
【表３】
表３：配合割合
2004105519.tif 000004
【００３０】
※４ノンサールＳＮ−１：ステアリン酸ナトリウム（日本油脂社製の商品名）
（ゲルの状態および揮散量の変化）
上記配合割合で調製したそれぞれの組成物をプルトップ缶（直径６５ｍｍ×高さ３０ｍｍ）に４０ｇ充填し、開缶後、経時的なゲルの状態変化および揮散重量の変化を観察し、その結果を表４および図２に示す。なお、表４の評価は前記と同じ基準で示す。
【００３１】
【表４】
表４：ゲルの状態変化
2004105519.tif 000005
【００３２】
比較例２では、１４日目あたりからゲル揮散面の収縮が大きく、ゲルの変形が見られたが、実施例３では揮散面の収縮は小さく、変形も小さかった。
【００３３】
また、図２に示したように実施例３では、開缶後から安定的な揮散量の変化が見られたが、比較例２では、１５日目あたりから揮散量の減少が見られた。
【００３４】
実施例４および比較例３
下記表５に記載した配合割合にて、常法により実施例４および比較例３のゲル状芳香・消臭剤組成物を作製した。なお、数値は全て重量％である。
【００３５】
【表５】
表５：配合割合
2004105519.tif 000006
【００３６】
※５ゲル化剤Ｔ：脂肪酸アルミニウム（生研化学社製の商品名）
※６ＩＰソルヘ゛ント−１６２０：イソパラフィン（出光石油化学社製の商品名）
（ゲルの状態および揮散量の変化）
上記配合割合で調製したそれぞれの組成物をプルトップ缶（直径６５ｍｍ×高さ３０ｍｍ）に４０ｇ充填し、開缶後、経時的なゲルの状態変化および揮散重量の変化を観察し、その結果を表６および図３に示す。なお、表６の評価は前記と同じ基準で示す。
【００３７】
【表６】
表６：ゲルの状態変化
2004105519.tif 000007
【００３８】
比較例３では、開館直後からゲルの保型性悪く、１４日目あたりからゲルが固化する傾向が見られたが、実施例４ではゲルの保型性を維持していた。
【００３９】
また、図３に示したよう実施例４では開缶後から安定的な揮散量の変化が見られたが、比較例３では７日目あたりから揮散量の減少が見られた。
【００４０】
【発明の効果】
本発明によれば、リモネンを揮散溶剤として使用する油性ゲル状芳香・消臭剤において、ゲルの保型安定性と、芳香・消臭成分の揮散性の改善されたゲル状芳香・消臭剤組成物を提供することができる。
【図面の簡単な説明】
【図１】実施例１、２および比較例１のゲル状芳香・消臭剤の経日的な揮散量の変化を示す図である。
【図２】実施例３および比較例２のゲル状芳香・消臭剤の経日的な揮散量の変化を示す図である。
【図３】実施例４および比較例３のゲル状芳香・消臭剤の経日的な揮散量の変化を示す図である。
【図１】
2004105519.tif 000008
【図２】
2004105519.tif 000009
【図３】
2004105519.tif 000010